(57)【特許請求の範囲】
【請求項１】
下記(A) 、(B) 及び(C) 成分を含有し、(A) 成分と(B) 成分の重量比が、 (A)／(B) ＝１／３〜３／１であり、(C) 成分の含有量が0.1 〜10重量％である柔軟仕上げ剤組成物。
(A) 炭素数８〜22の脂肪酸のグリセリンエステル
(B) 一般式（Ｉ）で表されるアミドアミン又は一般式（II）で表されるエステルアミンあるいはそれらの塩
【化１】
0003819164.tif 000005
（式中、R は炭素数８〜22の脂肪酸からカルボキシル基を除いた残基を示す。）
(C) 炭素数８〜22の脂肪族アルコール１モルに平均８〜100 モルのエチレンオキシドが付加した非イオン界面活性剤
【請求項２】
(B) 成分が、一般式（Ｉ）で表されるアミドアミンの塩酸塩又は硫酸塩であり、中和度が0.9 〜1.5 である請求項１記載の柔軟仕上げ剤組成物。
【発明の詳細な説明】
【０００１】
【発明の属する技術分野】
本発明は柔軟仕上げ剤組成物に関する。
【０００２】
【従来の技術及び発明が解決しようとする課題】
繊維用柔軟仕上げ剤として市販されている商品はほとんどが、ジ（長鎖アルキル）ジメチルアンモニウムクロライドに代表される１分子中に２つの長鎖アルキル基を有する第４級アンモニウム塩を含む組成物である。
【０００３】
しかしながら、上記第４級アンモニウム塩は、処理後の残存物が河川等の自然界に放出された場合、ほとんどが生分解されずに蓄積されるという問題点がある。このような問題点の改良品として、特開平７−２６８７７３号公報に、グリセリン、ジグリセリン等の脂肪酸エステルとモノ長鎖アルキル型アミンを含有する柔軟仕上げ剤組成物が提案されている。しかしながら、この組成物を長期保存する場合、特に高温で分離することがあり、家庭用柔軟仕上げ剤組成物としては、満足できるものではない。
【０００４】
従って、本発明の課題は、柔軟性に優れ、かつ生分解性及び高温での長期保存安定性に優れる柔軟仕上げ剤組成物を提供することにある。
【０００５】
【課題を解決するための手段】
本発明は、下記(A) 、(B) 及び(C) 成分を含有し、(A) 成分と(B) 成分の重量比が、 (A)／(B) ＝１／３〜３／１であり、(C) 成分の含有量が0.1 〜10重量％である柔軟仕上げ剤組成物を提供する。
(A) 炭素数８〜22の脂肪酸のグリセリンエステル
(B) 一般式（Ｉ）で表されるアミドアミン又は一般式（II）で表されるエステルアミンあるいはそれらの塩
【０００６】
【化２】
0003819164.tif 000002
【０００７】
（式中、R は炭素数８〜22の脂肪酸からカルボキシル基を除いた残基を示す。）(C) 非イオン界面活性剤
【０００８】
【発明の実施の形態】
本発明の(A) 成分は、グリセリンと炭素数８〜22の脂肪酸、その低級アルキルエステル又は油脂との反応により得ることができる。脂肪酸としては、カプリル酸、カプリン酸、ラウリン酸、ミリスチン酸、パルミチン酸、ステアリン酸、オレイン酸、ヤシ油脂肪酸、パーム脂肪酸、牛脂脂肪酸、硬化牛脂脂肪酸、ナタネ脂肪酸及びこれらの混合物があげられる。
【０００９】
グリセリンのエステル化度（グリセリン１モルに対する脂肪酸の結合モル数）は 1.0〜2.5 の範囲が良好な柔軟性能を示し、1.0 〜1.9 がより好ましく、更には1.25〜1.8 が特に好ましい。
【００１０】
本発明の(B) 成分のうち、一般式（Ｉ）で表されるアミドアミンは、Ｎ，Ｎ−ジメチルアミノプロピルアミンと炭素数８〜22の脂肪酸、その低級アルキルエステル又は油脂との反応により得ることができる。脂肪酸としては、カプリル酸等前記と同様のものが挙げられる。
また一般式（II）で表されるエステルアミンは、Ｎ，Ｎ−ジメチルアミノエタノールと炭素数８〜22の脂肪酸、その低級アルキルエステル又は油脂との反応により得ることができる。脂肪酸としては、カプリル酸等前記と同様のものが挙げられる。
(B) 成分は単独で又は２種以上を混合して使用することができるが、一般式（Ｉ）で表されるアミドアミンが好ましい。
【００１１】
本発明の(B) 成分は、上記一般式（Ｉ）又は（II）で表されるアミンの一部又は全部を酸で中和して用いるのが好ましい。酸としては、塩酸、硫酸、リン酸等の鉱酸、酢酸、グリコール酸、クエン酸、乳酸等の有機酸等から選ばれた１種以上が用いられ、特に塩酸、硫酸が好ましい。中和は、柔軟性能、(A) 成分である脂肪酸のグリセリンエステルの安定性の観点から、アミンに対し0.9 〜1.5 当量の酸を用いるのがよい。
【００１２】
本発明において(A) 成分と(B) 成分の重量比は、(A) ／(B) ＝１／３〜３／１の範囲が良好な柔軟性能を示し、更に２／３〜３／２が好ましい。また本発明の組成物中の(A) 成分と(B) 成分の合計含有量は、３〜40重量％が好ましく、更に４〜30重量％、特に５〜20重量％が好ましい。
【００１３】
本発明の(C) 成分の非イオン界面活性剤として好ましいものは、炭素数８〜22の脂肪族アルコール１モルに平均８〜100 モルのエチレンオキシドが付加したものであり、特に12〜60モルのエチレンオキシドが付加したものが好ましい。本発明の組成物中の(C) 成分の含有量は、柔軟仕上げ剤の高温での安定性を良好にする観点から、 0.1〜10重量％、好ましくは 0.1〜７重量％である。
【００１４】
本発明の柔軟仕上げ剤組成物は、例えば(A) 成分、(B) 成分及び(C) 成分の溶融物又は濃厚液を撹拌又は剪断混合下に、中和剤（酸）を含む水溶液中にゆっくり添加することにより得ることができる。また、中和物を予め製造する或いは中和剤を後添加する等の方法によっても得ることができる。
【００１５】
本発明の柔軟仕上げ剤組成物に、更にジメチルポリシロキサン、部分的にアミノ基又はポリオキシアルキレン基で変性されたジメチルポリシロキサン等のシリコーン化合物、特に好ましくは部分的にポリオキシアルキレン基で変性されたジメチルポリシロキサンを配合することにより吸水性を損なうことなく、柔軟処理された衣料の肌触りを改良することができる。これらのシリコーン化合物は、(A) 成分と(B)成分の合計重量に対し、0.3〜５重量％配合されるのが好ましい。
【００１６】
本発明の柔軟仕上げ剤組成物は、長期保存に対して安定性は高いが、更に過酷な保存条件下での安定化のためにエタノール、エチレングリコール、プロピレングリコール、グリセリン等の溶剤、又は尿素等を配合することができる。また、柔軟基剤として既知のエステル、カチオン化合物、長鎖脂肪酸等を併用しても良い。また、製品の外観のために顔料又は染料を、仕上がりの白さのために蛍光増白剤を、そして使用時及び仕上がり後の趣向をよくするために香料を配合することもできる。
【００１７】
【発明の効果】
本発明の柔軟仕上げ剤組成物は、各種繊維に対して、十分な柔軟性を与え、製品の高温での保存安定性が良好であり、且つ生分解性に優れている。
【００１８】
【実施例】
実施例１〜１４及び比較例１〜５
下記に示す(A) 成分、(B) 成分及び(C) 成分を表１に示す配合量で用いて柔軟仕上げ剤組成物を調製した。これらの柔軟仕上げ剤組成物について以下の方法で柔軟性及び保存安定性を評価した。結果を表１に示す。
【００１９】
(A) 成分
A-1: 硬化牛脂脂肪酸グリセリンエステル（エステル化度1.0)
A-2: 硬化牛脂脂肪酸グリセリンエステル（エステル化度1.35)
A-3: 硬化牛脂脂肪酸グリセリンエステル（エステル化度1.6)
A-4: 硬化牛脂脂肪酸グリセリンエステル（エステル化度2.0)
(B) 成分
【００２０】
【化３】
0003819164.tif 000003
【００２１】
(C) 成分
C-1: R-O-(CH2CH2O)n-H  (R＝C12H25 , n＝15)
C-2: R-O-(CH2CH2O)n-H  (R＝C12H25 , n＝20)
C-3: R-O-(CH2CH2O)n-H  (R＝C12H25 , n＝50)
C-4: R-O-(CH2CH2O)n-H  (R＝ヤシアルキル基 , n＝20)
C-5: R-O-(CH2CH2O)n-H  (R＝オレイル基 , n＝50)
＜柔軟性の評価＞
(1) 処理方法
市販の木綿タオル２kgを 3.5°ＤＨ硬水にて市販洗剤アタック（花王株式会社製、登録商標）にて５回繰り返し洗濯（30Ｌ洗濯機）し、タオルについていた繊維処理剤を除去した後、表１の柔軟仕上げ剤組成物を10mL投入し、25℃、１分間撹拌下で処理した。
【００２２】
(2) 評価方法
上記方法で処理した布を室内で風乾後、25℃、65％ＲＨの恒温恒湿室にて24時間放置した。これらの布について柔軟性の評価を行った。
柔軟性の評価は、ジ硬化牛脂アルキルジメチルアンモニウムクロライド15重量％からなる柔軟仕上げ剤10mLで処理した布を対照にして一対比較を行い、下記の基準で評価した。
【００２３】
２：対照より柔らかい
１：対照よりやや柔らかい
０：対照と同じ
−１：対照の方がやや柔らかい
−２：対照の方が柔らかい
＜保存安定性の評価＞
表１の柔軟仕上げ剤組成物を密閉し、40℃にて20日間保存し、密閉状態での外観を観察した。
【００２４】
【表１】
0003819164.tif 000004
【００２５】
注）
*：(B) 成分に対する当量
表１から明らかなように、本発明の液体柔軟仕上げ剤組成物は、いずれも柔軟性が良好で、長期保存しても経時的な変化がほとんどなく、保存安定性も良好であった。